(57)【要約】  音声通話に対応する複数の通信方式の通信ユニットそれぞれを用いて通話を実現可能な無線端末装置を提供する。  スマートフォン１は、第１の通信方式により無線通信を行う第１アンテナ６１Ａと、第２の通信方式により無線通信を行う第２アンテナ６２Ａと、第１アンテナ６１Ａにおいて受信した信号をデジタル音声信号に変換する第１ＲＦ回路部６１Ｂと、デジタル音声信号をアナログ音声信号に変換する音声処理部１８と、第２アンテナ６２Ａにおいて受信した信号をアナログ音声信号に変換する第２ＲＦ回路部６２Ｂと、アナログ音声信号を出力するレシーバ７と、音声処理部１８とレシーバ７との間でアナログ音声信号を伝送する第１モードと第２ＲＦ回路部６２Ｂとレシーバ７との間でアナログ音声信号を伝送する第２モードとを切り替える第１スイッチ１９と、を備える。
2014104173.tif 000002
【特許請求の範囲】
【請求項１】
第１の通信方式により無線通信を行う第１通信部と、
前記第１の通信方式と異なる第２の通信方式により無線通信を行う第２通信部と、
前記第１通信部において受信した信号をデジタル音声信号に変換する第１通信処理部と、
前記第１通信処理部において変換されたデジタル音声信号をアナログ音声信号に変換する音声処理部と、
前記第２通信部において受信した信号をアナログ音声信号に変換する第２通信処理部と、
アナログ音声信号を出力する音声出力部と、
前記音声処理部と前記音声出力部との間でアナログ音声信号を伝送する第１モードと前記第２通信処理部と前記音声出力部との間でアナログ音声信号を伝送する第２モードとを切り替える第１切替部と、を備える無線端末装置。
【請求項２】
前記第２通信処理部は、前記第１切替部を、前記第２通信処理部により音声通信を行う際に前記第２モードへ切り替えさせ、前記第２通信処理部による音声通信が終了すると、前記第２モードから前記第１モードへ切り替えさせる請求項１に記載の無線端末装置。
【請求項３】
前記第１通信処理部及び前記第２通信処理部における発着信を制御する第１制御部を備え、
前記第１制御部は、音声発着信の開始又は終了要求に応じて、当該第２通信処理部に前記第１切替部のモードを切り替えさせる請求項２に記載の無線端末装置。
【請求項４】
前記第１制御部は、前記第２通信処理部による音声通信の要求があると、前記第１通信処理部による音声通信が行われていない場合に、前記第２モードへ切り替えさせる請求項３に記載の無線端末装置。
【請求項５】
前記第１制御部は、前記第２通信処理部による音声通信の要求があると、前記第１通信処理部による音声通信が行われている場合に、当該第１通信処理部による音声通信を中断し、前記第１モードから前記第２モードへ切り替えさせる請求項３に記載の無線端末装置。
【請求項６】
前記第１制御部は、前記第２通信処理部による音声通信の要求があると、ユーザ操作に基づく指示入力に応じて、前記第２モードへ切り替えさせる請求項３に記載の無線端末装置。
【請求項７】
前記第２通信処理部は、前記第２通信部から入力される音声信号に対して、音質改善処理を行った後、アナログ音声信号へ変換する請求項１に記載の無線端末装置。
【請求項８】
前記音質改善処理を行う信号処理部を、前記第２通信処理部とは別に備える請求項７に記載の無線端末装置。
【請求項９】
前記信号処理部による前記音質改善処理の有無を制御し、前記第２通信処理部と前記信号処理部との間でデジタル音声信号を伝送する第２制御部を備える請求項８に記載の無線端末装置。
【請求項１０】
音声信号を入出力する入出力装置との間で無線通信する短距離無線通信部と、
前記第１通信処理部により音声通信を行うとき、前記短距離無線通信部と前記第１通信処理部との間でデジタル音声信号を伝送し、前記第２通信処理部により音声通信を行うとき、前記短距離無線通信部と前記第２通信処理部との間でデジタル音声信号を伝送する第２切替部と、を備える請求項１に記載の無線端末装置。
【請求項１１】
第１の通信方式により無線通信を行う第１通信部と、
前記第１の通信方式と異なる第２の通信方式により無線通信を行う第２通信部と、
アナログ音声信号を入力する音声入力部と、
前記音声入力部によって入力されたアナログ音声信号をデジタル音声信号に変換する音声処理部と、
前記音声処理部によって変換されたデジタル音声信号を前記第１通信部によって送信するための信号に変換する第１通信処理部と、
前記音声入力部によって入力されたアナログ音声信号を前記第２通信部によって送信するための信号に変換する第２通信処理部と、
前記音声処理部と前記音声入力部との間でアナログ音声信号を伝送する第１モードと前記第２通信処理部と前記音声入力部との間でアナログ音声信号を伝送する第２モードとを切り替える第１切替部と、を備える無線端末装置。
【発明の詳細な説明】
【技術分野】
【０００１】
本発明は、無線端末装置に関する。
【背景技術】
【０００２】
タッチスクリーンディスプレイを備える無線端末装置が知られている。タッチスクリーンディスプレイを備える無線端末装置には、例えば、スマートフォン及びタブレットが含まれる。タッチスクリーンディスプレイを備える無線端末装置は、タッチスクリーンディスプレイを介して指又はスタイラスペンのジェスチャを検出する。そして、タッチスクリーンディスプレイを備える無線端末装置は、検出したジェスチャに従って動作する。検出したジェスチャに従った動作の例は、例えば、特許文献１に記載されている。【０００３】
タッチスクリーンディスプレイを備える無線端末装置の基本的な動作は、無線端末装置に搭載されるＡｎｄｒｏｉｄ（登録商標）、ＢｌａｃｋＢｅｒｒｙ（登録商標）  ＯＳ、Ｓｙｍｂｉａｎ（登録商標）  ＯＳ、ｉＯＳ、Ｗｉｎｄｏｗｓ（登録商標）  Ｐｈｏｎｅ等のＯＳ（Ｏｐｅｒａｔｉｎｇ  Ｓｙｓｔｅｍ）によって実現される。
【先行技術文献】
【特許文献】
【０００４】
【特許文献１】国際公開第２００８／０８６３０２号
【発明の概要】
【発明が解決しようとする課題】
【０００５】
ところで、このような無線端末装置では、音声通話に対応する通信方式の通信ユニットが１つしか搭載されていない。
このような無線端末装置において、新たな通信方式の音声通話機能を搭載するためには、この新たな音声通話機能に対応した処理ユニットが必要となる。さらに、新たに対応するデジタル音声信号の形式が既存の通信方式と異なる場合には、各形式に対応したデータ処理部及び音声信号の伝送経路を設けるため、既存のハードウェア及びソフトウェア構成を大幅に変更しなければならなかった。【０００６】
本発明は、既存のハードウェア及びソフトウェア構成を大幅に変更することなく、音声通話に対応する複数の通信方式の通信ユニットそれぞれを用いて通話することができる無線端末装置を提供することを目的とする。
【課題を解決するための手段】
【０００７】
本発明に係る無線端末装置は、第１の通信方式により無線通信を行う第１通信部と、前記第１の通信方式と異なる第２の通信方式により無線通信を行う第２通信部と、前記第１通信部において受信した信号をデジタル音声信号に変換する第１通信処理部と、前記第１通信処理部において変換されたデジタル音声信号をアナログ音声信号に変換する音声処理部と、前記第２通信部において受信した信号をアナログ音声信号に変換する第２通信処理部と、アナログ音声信号を出力する音声出力部と、前記音声処理部と前記音声出力部との間でアナログ音声信号を伝送する第１モードと前記第２通信処理部と前記音声出力部との間でアナログ音声信号を伝送する第２モードとを切り替える第１切替部と、を備える。【０００８】
前記第２通信処理部は、前記第１切替部を、前記第２通信処理部により音声通信を行う際に前記第２モードへ切り替えさせ、前記第２通信処理部による音声通信が終了すると、前記第２モードから前記第１モードへ切り替えさせてもよい。【０００９】
本発明に係る無線端末装置は、前記第１通信処理部及び前記第２通信処理部における発着信を制御する第１制御部を備え、前記第１制御部は、音声発着信の開始又は終了要求に応じて、当該第２通信処理部に前記第１切替部のモードを切り替えさせてもよい。【００１０】
前記第１制御部は、前記第２通信処理部による音声通信の要求があると、前記第１通信処理部による音声通信が行われていない場合に、前記第２モードへ切り替えさせてもよい。【００１１】
前記第１制御部は、前記第２通信処理部による音声通信の要求があると、前記第１通信処理部による音声通信が行われている場合に、当該第１通信処理部による音声通信を中断し、前記第１モードから前記第２モードへ切り替えさせてもよい。【００１２】
前記第１制御部は、前記第２通信処理部による音声通信の要求があると、ユーザ操作に基づく指示入力に応じて、前記第２モードへ切り替えさせてもよい。【００１３】
前記第２通信処理部は、前記第２通信部から入力される音声信号に対して、音質改善処理を行った後、アナログ音声信号へ変換してもよい。【００１４】
前記無線端末装置は、前記音質改善処理を行う信号処理部を、前記第２通信処理部とは別に備えてもよい。【００１５】
前記無線端末装置は、前記信号処理部による前記音質改善処理の有無を制御し、前記第２通信処理部と前記信号処理部との間でデジタル音声信号を伝送する第２制御部を備えてもよい。【００１６】
前記無線端末装置は、音声信号を入出力する入出力装置との間で無線通信する短距離無線通信部と、前記第１通信処理部により音声通信を行うとき、前記短距離無線通信部と前記第１通信処理部との間でデジタル音声信号を伝送し、前記第２通信処理部により音声通信を行うとき、前記短距離無線通信部と前記第２通信処理部との間でデジタル音声信号を伝送する第２切替部と、を備えてもよい。【００１７】
本発明に係る無線端末装置は、第１の通信方式により無線通信を行う第１通信部と、前記第１の通信方式と異なる第２の通信方式により無線通信を行う第２通信部と、アナログ音声信号を入力する音声入力部と、前記音声入力部によって入力されたアナログ音声信号をデジタル音声信号に変換する音声処理部と、前記音声処理部によって変換されたデジタル音声信号を前記第１通信部によって送信するための信号に変換する第１通信処理部と、前記音声入力部によって入力されたアナログ音声信号を前記第２通信部によって送信するための信号に変換する第２通信処理部と、前記音声処理部と前記音声入力部との間でアナログ音声信号を伝送する第１モードと前記第２通信処理部と前記音声入力部との間でアナログ音声信号を伝送する第２モードとを切り替える第１切替部と、を備える。
【発明の効果】
【００１８】
本発明によれば、無線端末装置は、既存のハードウェア及びソフトウェア構成を大幅に変更することなく、音声通話に対応する複数の通信方式の通信ユニットそれぞれを用いて通話することができる。
【図面の簡単な説明】
【００１９】
【図１】第１実施形態に係るスマートフォンの外観を示す斜視図である。
【図２】第１実施形態に係るスマートフォンの外観を示す正面図である。
【図３】第１実施形態に係るスマートフォンの外観を示す背面図である。
【図４】第１実施形態に係るスマートフォンのホーム画面の一例を示す図である。
【図５】第１実施形態に係るスマートフォンの機能を示すブロック図である。
【図６】第１実施形態に係るスマートフォンの詳細な機能を示すブロック図である。
【図７】第２実施形態に係るスマートフォンの詳細な機能を示すブロック図である。
【図８】第３実施形態に係るスマートフォンの詳細な機能を示すブロック図である。
【発明を実施するための形態】
【００２０】
［第１実施形態］
本発明を実施するための第１実施形態を、図面を参照しつつ詳細に説明する。
以下では、無線端末装置の一例として、スマートフォンについて説明する。
【００２１】
図１から図３を参照しながら、実施形態に係るスマートフォン１の外観について説明する。図１から図３に示すように、スマートフォン１は、ハウジング２０を有する。ハウジング２０は、フロントフェース１Ａと、バックフェース１Ｂと、サイドフェース１Ｃ１〜１Ｃ４とを有する。フロントフェース１Ａは、ハウジング２０の正面である。バックフェース１Ｂは、ハウジング２０の背面である。サイドフェース１Ｃ１〜１Ｃ４は、フロントフェース１Ａとバックフェース１Ｂとを接続する側面である。以下では、サイドフェース１Ｃ１〜１Ｃ４を、どの面であるかを特定することなく、サイドフェース１Ｃと総称することがある。
【００２２】
スマートフォン１は、タッチスクリーンディスプレイ２と、ボタン３Ａ〜３Ｃと、照度センサ４と、近接センサ５と、レシーバ７と、マイク８と、カメラ１２とをフロントフェース１Ａに有する。スマートフォン１は、カメラ１３をバックフェース１Ｂに有する。スマートフォン１は、ボタン３Ｄ〜３Ｆと、外部インタフェース１４とをサイドフェース１Ｃに有する。以下では、ボタン３Ａ〜３Ｆを、どのボタンであるかを特定することなく、ボタン３と総称することがある。
【００２３】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号又は図形等を表示する。
【００２４】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２６】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２７】
タッチは、タッチスクリーンディスプレイ２（例えば、表面）に指が接触するジェスチャである。スマートフォン１は、タッチスクリーンディスプレイ２に指が接触するジェスチャをタッチとして判別する。ロングタッチとは、タッチスクリーンディスプレイ２に指が一定時間以上接触するジェスチャである。スマートフォン１は、タッチスクリーンディスプレイ２に指が一定時間以上接触するジェスチャをロングタッチとして判別する。
【００２８】
リリースは、指がタッチスクリーンディスプレイ２から離れるジェスチャである。スマートフォン１は、指がタッチスクリーンディスプレイ２から離れるジェスチャをリリースとして判別する。スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。
【００２９】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。
【００３０】
ロングタップは、ロングタッチに続いてリリースをするジェスチャである。スマートフォン１は、ロングタッチに続いてリリースをするジェスチャをロングタップとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００３１】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００３２】
ピンチインは、複数の指が互いに近付く方向にスワイプするジェスチャである。スマートフォン１は、複数の指が互いに近付く方向にスワイプするジェスチャをピンチインとして判別する。ピンチアウトは、複数の指が互いに遠ざかる方向にスワイプするジェスチャである。スマートフォン１は、複数の指が互いに遠ざかる方向にスワイプするジェスチャをピンチアウトとして判別する。
【００３３】
スマートフォン１は、タッチスクリーン２Ｂを介して判別するこれらのジェスチャに従って動作を行う。したがって、利用者にとって直感的で使いやすい操作性が実現される。判別されるジェスチャに従ってスマートフォン１が行う動作は、タッチスクリーンディスプレイ２に表示されている画面に応じて異なる。
【００３４】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３５】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップを検出すると、メールアプリケーションを実行する。ここで、スマートフォン１は、例えば、タッチスクリーンディスプレイ２に対するアイコン５０の表示位置（領域）に対応する位置（領域）へのジェスチャを、アイコン５０に対応付けられたアプリケーションの実行命令であると解釈する。
【００３６】
アイコン５０は、画像と文字列を含む。アイコン５０は、画像に代えて、記号又は図形を含んでもよい。アイコン５０は、画像又は文字列のいずれか一方を含まなくてもよい。アイコン５０は、所定の規則に従って配置される。アイコン５０の背後には、壁紙４１が表示される。壁紙は、フォトスクリーン又はバックスクリーンと呼ばれることもある。スマートフォン１は、任意の画像を壁紙４１として用いることができる。画像は、例えば、利用者の設定に従って任意の画像が壁紙４１として決定される。
【００３７】
スマートフォン１は、ホーム画面の数を増減することができる。スマートフォン１は、例えば、ホーム画面の数を利用者による設定に従って決定する。スマートフォン１は、ホーム画面を表示する場合、ホーム画面の数が複数であっても、それらのうちから選択された１つをディスプレイ２Ａに表示する。
【００３８】
スマートフォン１は、ホーム画面上に、１つ又は複数のロケータを表示する。ロケータの数は、ホーム画面の数と一致する。ロケータは、現在表示されているホーム画面の位置を示す。現在表示されているホーム画面に対応するロケータは、他のロケータと異なる態様で表示される。
【００３９】
図４に示す例では、４つのロケータ５１が表示されている。これは、ホーム画面４０の数が４つであることを示す。また、図４に示す例では、左から２番目のシンボルが他のシンボルと異なる態様で表示されている。これは、左から２番目のホーム画面が現在表示されていることを示している。
【００４０】
スマートフォン１は、ホーム画面を表示中に特定のジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。
【００４１】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、現在時刻、天気の情報、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０とは別の画面でも設けられることがある。領域４２が設けられる位置は、ディスプレイ２Ａの上端に限られない。
【００４２】
なお、図４に示したホーム画面４０は、一例であり、各種の要素の形態、各種の要素の配置、ホーム画面４０の数、及びホーム画面４０での各種の操作の仕方等は上記の説明の通りでなくてもよい。
【００４３】
図５は、スマートフォン１の構成を示すブロック図である。スマートフォン１は、タッチスクリーンディスプレイ２と、ボタン３と、照度センサ４と、近接センサ５と、第１通信ユニット６Ａと、第２通信ユニット６Ｂと、レシーバ７と、マイク８と、ストレージ９と、第１制御部としてのコントローラ１０と、カメラ１２及び１３と、外部インタフェース１４と、加速度センサ１５と、方位センサ１６と、回転検出センサ１７と、音声処理部１８と、第１切替部としての第１スイッチ１９と、アンプ６０と、ＤＳＰ（Ｄｉｇｉｔａｌ  Ｓｉｇｎａｌ  Ｐｒｏｃｅｓｓｏｒ）７０とを有する。
【００４４】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４５】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００４６】
例えば、ボタン３Ａ〜３Ｃは、ホームボタン、バックボタン又はメニューボタンである。例えば、ボタン３Ｄは、スマートフォン１のパワーオン／オフボタンである。ボタン３Ｄは、スリープ／スリープ解除ボタンを兼ねてもよい。例えば、ボタン３Ｅ及び３Ｆは、音量ボタンである。
【００４７】
照度センサ４は、照度を検出する。例えば、照度とは、光の強さ、明るさ、輝度等である。照度センサ４は、例えば、ディスプレイ２Ａの輝度の調整に用いられる。
【００４８】
近接センサ５は、近隣の物体の存在を非接触で検出する。近接センサ５は、例えば、タッチスクリーンディスプレイ２が顔に近付けられたことを検出する。
【００４９】
第１通信ユニット６Ａ及び第２通信ユニット６Ｂは、無線により通信する。
第１通信ユニット６Ａによって用いられる第１の通信方式は、無線通信規格である。例えば、第１の通信方式の無線通信規格として、３Ｇ、４Ｇ等のセルラーフォンの通信規格がある。例えば、セルラーフォンの通信規格としては、ＬＴＥ（Ｌｏｎｇ  Ｔｅｒｍ  Ｅｖｏｌｕｔｉｏｎ）、Ｗ−ＣＤＭＡ、ＣＤＭＡ２０００等がある。他には、例えば、第１の通信方式の無線通信規格として、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ、ＮＦＣ（Ｎｅａｒ  Ｆｉｅｌｄ  Ｃｏｍｍｕｎｉｃａｔｉｏｎ）等がある。第１通信ユニット６Ａは、上述した通信規格の１つ又は複数をサポートしていてもよい。
【００５０】
第２通信ユニット６Ｂによって用いられる第２の通信方式は、第１の通信方式と異なる通信方式であり、無線通信規格である。例えば、第２の通信方式の無線通信規格として、２Ｇ等のセルラーフォンの通信規格がある。例えば、セルラーフォンの通信規格としては、ＰＤＣ、ＧＳＭ（登録商標）、ＰＨＳ（Ｐｅｒｓｏｎａｌ  Ｈａｎｄｙ−ｐｈｏｎｅ  Ｓｙｓｔｅｍ）等がある。第２通信ユニット６Ｂは、上述した通信規格の１つ又は複数をサポートしていてもよい。
【００５１】
音声入出力部としてのレシーバ７とマイク８とは、第１スイッチ１９を介して音声処理部１８に接続されている。
レシーバ７は、音声処理部１８から送信されるアナログ音声信号を音声として出力する。マイク８は、利用者等の音声をアナログ音声信号へ変換して音声処理部１８へ送信する。音声処理部１８は、コントローラ１０の制御に従って所定の音声処理を行い、処理後の信号をレシーバ７に出力する。具体的には、音声処理部１８は、リニアＰＣＭ方式のデジタル音声信号をアナログ音声信号に変換してレシーバ７に出力する。音声処理部１８は、マイク８から入力されたアナログ音声信号をリニアＰＣＭ方式のデジタル音声信号に変換し、この変換された信号をコントローラ１０に出力する。
【００５２】
さらに、レシーバ７とマイク８とは、第１スイッチ１９及びアンプ６０を介して第２通信ユニット６Ｂに接続されている。
レシーバ７は、第２通信ユニット６Ｂから送信されるアナログ音声信号を音声として出力する。マイク８は、利用者等の音声をアナログ音声信号へ変換して第２通信ユニット６Ｂへ送信する。アンプ６０は、第２通信ユニット６Ｂの制御に従って音声信号を増幅し、処理後の信号をレシーバ７に出力する。アンプ６０は、マイク８から入力された信号を増幅し、処理後の信号を第２通信ユニット６Ｂに出力する。
なお、スマートフォン１は、レシーバ７に加えて、スピーカをさらに有してもよい。スマートフォン１は、レシーバ７に代えて、スピーカをさらに有してもよい。
【００５３】
ストレージ９は、プログラム及びデータを記憶する。また、ストレージ９は、コントローラ１０の処理結果を一時的に記憶する作業領域としても利用される。ストレージ９は、半導体記憶デバイス、及び磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００５４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂによって検出されるジェスチャに応じた処理をコントローラ１０に実行させる。制御プログラムは、例えば、ＯＳである。アプリケーション及び制御プログラムは、第１通信ユニット６Ａ又は第２通信ユニット６Ｂによる無線通信又は記憶媒体を介してストレージ９にインストールされてもよい。
【００５５】
ストレージ９は、例えば、制御プログラム９Ａ、メールアプリケーション９Ｂ、ブラウザアプリケーション９Ｃ、設定データ９Ｚ等を記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。テーブル９Ｄは、キーアサインテーブル等の各種テーブルを含む。配置パターンデータベース９Ｅは、ディスプレイ２Ａに表示されるアイコン等の配置パターンが格納されている。設定データ９Ｚは、スマートフォン１の動作に関する各種の設定機能を提供する。例えば、設定データ９Ｚは、音声信号の音質を調整するための第１パラメータ及び第２パラメータを記憶する。ここで、第１パラメータ及び第２パラメータには、それぞれ、音量調整、周波数特性の変更、自動利得制御、エコーキャンセル、ノイズ抑制を行うためのパラメータが含まれている。なお、これらのパラメータは、通常通話、イヤホン通話等の複数の通話状態それぞれにおいて別々に有していてもよい。また、録音時、録音メッセージの再生時、キー操作音等の出力時等、個別の状態それぞれにおいて別々に有していてもよい。
【００５６】
制御プログラム９Ａは、スマートフォン１を稼働させるための各種制御に関する機能を提供する。制御プログラム９Ａは、例えば、第１通信ユニット６Ａ、第２通信ユニット６Ｂ、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。なお、制御プログラム９Ａが提供する機能は、メールアプリケーション９Ｂ等の他のプログラムが提供する機能と組み合わせて利用されることがある。
【００５７】
コントローラ１０は、例えば、ＣＰＵ（Ｃｅｎｔｒａｌ  Ｐｒｏｃｅｓｓｉｎｇ  Ｕｎｉｔ）である。コントローラ１０は、第１通信ユニット６Ａ等の他の構成要素が統合されたＳｏＣ（Ｓｙｓｔｅｍ−ｏｎ−ａ−ｃｈｉｐ）等の集積回路であってもよい。コントローラ１０は、スマートフォン１の動作を統括的に制御して各種の機能を実現する。
【００５８】
具体的には、コントローラ１０は、ストレージ９に記憶されているデータを必要に応じて参照しつつ、ストレージ９に記憶されているプログラムに含まれる命令を実行して、ディスプレイ２Ａ、第１通信ユニット６Ａ及び第２通信ユニット６Ｂ等を制御することによって各種機能を実現する。コントローラ１０は、タッチスクリーン２Ｂ、ボタン３、加速度センサ１５等の各種検出部の検出結果に応じて、制御を変更することもある。
【００５９】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００６０】
カメラ１２は、フロントフェース１Ａに面している物体を撮影するインカメラである。カメラ１３は、バックフェース１Ｂに面している物体を撮影するアウトカメラである。
【００６１】
外部インタフェース１４は、他の装置が接続される端子である。外部インタフェース１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト）、イヤホンマイクコネクタのような汎用的な端子であってもよい。外部インタフェース１４は、Ｄｏｃｋコネクタのような専用に設計された端子でもよい。外部インタフェース１４に接続される装置には、例えば、外部ストレージ、スピーカ、通信装置が含まれる。
【００６２】
加速度センサ１５は、スマートフォン１に働く加速度の方向及び大きさを検出する。方位センサ１６は、地磁気の向きを検出する。回転検出センサ１７は、スマートフォン１の回転を検出する。加速度センサ１５、方位センサ１６及び回転検出センサ１７の検出結果は、スマートフォン１の位置及び姿勢の変化を検出するために、組み合わせて利用される。
【００６３】
第１スイッチ１９は、音声処理部１８と音声入出力部（レシーバ７又はマイク８）との間でアナログ音声信号を伝送する第１モード、又は第２通信ユニット６Ｂと音声入出力部との間でアナログ音声信号を伝送する第２モードを切り替える。
【００６４】
信号処理部としてのＤＳＰ７０は、第２通信ユニット６Ｂから受信したデジタル音声信号に対して、音質改善処理を行い、第２通信ユニット６Ｂに提供する。音質改善処理は、例えば、周波数補正及びノイズ除去等の処理を含む。
【００６５】
このように構成されるスマートフォン１は、音声通話に対応する複数の通信方式の通信ユニットそれぞれを用いて通話を実現することができる。以下に、具体的な構成について説明する。
【００６６】
図６は、スマートフォン１の詳細な機能を示すブロック図である。
なお、図中で音声通信に関するデジタル音声信号又はアナログ音声信号の伝送経路を実線の矢印で示し、制御信号の経路を破線の矢印で示す。
【００６７】
第１通信ユニット６Ａは、第１通信部としての第１アンテナ６１Ａと、第１通信処理部としての第１ＲＦ回路部６１Ｂとを備える。
第１アンテナ６１Ａは、上述した第１の通信方式により、基地局等の外部機器と無線通信を行う。具体的には、第１アンテナ６１Ａは、基地局等の外部機器と、第１ＲＦ回路部６１Ｂにより変調される高周波信号の送受信を行う。例えば、この高周波信号は、通話に係る音声信号を含む。
【００６８】
第１ＲＦ回路部６１Ｂは、第１アンテナ６１Ａにより送受信される高周波信号を処理する。具体的には、第１ＲＦ回路部６１Ｂは、第１アンテナ６１Ａによって受信した信号を所定の復調方式で復調し、復調後の信号をコントローラ１０に供給する。第１ＲＦ回路部６１Ｂは、コントローラ１０から供給された信号を所定の変調方式で変調し、変調後の信号を第１アンテナ６１Ａに供給する。
【００６９】
例えば、第１ＲＦ回路部６１Ｂは、第１アンテナ６１Ａにおいて受信した音声信号を復調（変換）することにより、リニアＰＣＭ方式のデジタル音声信号を取得する。第１ＲＦ回路部６１Ｂは、このリニアＰＣＭ方式のデジタル音声信号をコントローラ１０に供給する。また、第１ＲＦ回路部６１Ｂは、コントローラ１０からリニアＰＣＭ方式のデジタル音声信号が供給されると、この信号を変調し、第１アンテナ６１Ａに供給する。
【００７０】
第２通信ユニット６Ｂは、第２通信部としての第２アンテナ６２Ａと、第２通信処理部としての第２ＲＦ回路部６２Ｂとを備える。
第２アンテナ６２Ａは、上述した第２の通信方式により、基地局等の外部機器と無線通信を行う。具体的には、第２アンテナ６２Ａは、基地局等の外部機器と、第２ＲＦ回路部６２Ｂにより変調される高周波信号の送受信を行う。例えば、この高周波信号は、通話に係る音声信号を含む。
【００７１】
第２ＲＦ回路部６２Ｂは、第２アンテナ６２Ａにより送受信される高周波信号を処理する。具体的には、第２ＲＦ回路部６２Ｂは、第２アンテナ６２Ａによって受信した信号を所定の復調方式で復調し、復調後の信号を、アンプ６０及び第１スイッチ１９を介してレシーバ７に供給する。第２ＲＦ回路部６２Ｂは、マイク８から第１スイッチ１９及びアンプ６０を介して供給された信号を所定の変調方式で変調し、変調後の信号を第２アンテナ６２Ａに供給する。
【００７２】
例えば、第２ＲＦ回路部６２Ｂは、第２アンテナ６２Ａにおいて受信した音声信号を復調（変換）することにより、μ−ｌａｗＰＣＭ方式のデジタル音声信号を取得する。第２ＲＦ回路部６２Ｂは、このμ−ｌａｗＰＣＭ方式のデジタル音声信号をアナログ音声信号に変換し、音量調節等の処理を施して出力する。また、第２ＲＦ回路部６２Ｂは、アナログ音声信号が供給されると、この信号をデジタル変換した後、変調して第２アンテナ６２Ａに供給する。
また、第２ＲＦ回路部６２Ｂは、デジタル音声信号をアナログ音声信号に変換する前に、ＤＳＰ７０により周波数補正及びノイズ除去等の音質改善を行う。
【００７３】
コントローラ１０は、第１ＲＦ回路部６１Ｂから入力されたデジタル音声信号の音声処理部１８への出力と、音声処理部１８から入力されたデジタル音声信号の第１ＲＦ回路部６１Ｂへの出力を制御する。
【００７４】
具体的には、コントローラ１０は、第１通信ユニット６Ａにより通信が行われている場合において第１ＲＦ回路部６１Ｂからデジタル音声信号が供給されたとき、このデジタル音声信号を音声処理部１８に供給する。また、コントローラ１０は、第１通信ユニット６Ａにより通信が行われている場合において音声処理部１８からデジタル音声信号が入力されたとき、このデジタル音声信号を第１ＲＦ回路部６１Ｂに供給する。
そして、音声処理部１８は、デジタル音声信号をアナログ音声信号に変換（復号化）して、第１スイッチ１９を介してレシーバ７に出力する。
【００７５】
第１スイッチ１９は、第２ＲＦ回路部６２Ｂの制御により、音声信号の伝送経路を切り替える。第１通信ユニット６Ａにより音声通話が行われる場合には、第１スイッチ１９は、音声処理部１８とレシーバ７との伝送経路、及び音声処理部１８とマイク８との伝送経路を確立し、第１モードで音声通話を可能にする。第２通信ユニット６Ｂにより音声通話が行われる場合には、第１スイッチ１９は、アンプ６０とレシーバ７との伝送経路、及びアンプ６０とマイク８との伝送経路を確立し、第２モードで音声通話を可能にする。
よって、スマートフォン１は、音声通話に対応する複数の通信ユニットそれぞれを用いて通話を実現することができる。
【００７６】
第１スイッチ１９の初期状態が第１モードである場合、第２ＲＦ回路部６２Ｂは、第１スイッチ１９を制御して、第２ＲＦ回路部６２Ｂにより音声通信を行う際に第１モードから第２モードへ切り替えさせ、第２ＲＦ回路部６２Ｂによる音声通信が終了すると、第２モードから第１モードへ切り替えさせる。
【００７７】
また、コントローラ１０は、第１ＲＦ回路部６１Ｂ及び第２ＲＦ回路部６２Ｂにおける発着信を制御する。コントローラ１０は、第２の通信方式による音声発着信の開始又は終了要求に応じて、第２ＲＦ回路部６２Ｂに対して第１スイッチ１９のモードの切り替えを指令する。
【００７８】
具体的には、例えば、コントローラ１０は、第２ＲＦ回路部６２Ｂによる音声通信の要求があると、第１ＲＦ回路部６１Ｂによる音声通信が行われていない場合に、第２モードへの切り替えを第２ＲＦ回路部６２Ｂへ指令する。
また、第１ＲＦ回路部６１Ｂによる音声通信が行われている場合には、コントローラ１０は、第１ＲＦ回路部６１Ｂによる音声通信を中断し、第２モードへの切り替えを第２ＲＦ回路部６２Ｂへ指令する。このとき、コントローラ１０は、ユーザ操作に基づく指示入力に応じて、第２モードへの切り替えを指令してもよい。
ここで、第２のＲＦ回路部６２Ｂによる音声通話の要求とは、例えば、第２ＲＦ回路部６２Ｂから受けた着信通知に対するユーザ操作に基づく着信応答、又はユーザ操作に基づく要求に応じた第２ＲＦ回路部６２Ｂへの発信要求である。
【００７９】
以上のように、本実施形態によれば、スマートフォン１は、アナログ音声信号の伝送経路について、第１スイッチ１９により第１モードと第２モードとを切り替えた。よって、スマートフォン１は、音声通話に対応する複数の通信方式の通信ユニットそれぞれを用いて通話を実現することができる。
【００８０】
本実施形態によれば、第２通信ユニット６Ｂからアナログ音声信号が出力されるため、第２通信ユニット６Ｂからレシーバまでの間にデジタル音声信号をアナログ音声信号に変換する処理部を設ける必要がなく、処理部を設けることに比べてハードウェア構成を削減することができる。
【００８１】
スマートフォン１は、第１の通信方式による音声通話に関する機能部である第１通信ユニット６Ａ、コントローラ１０及び音声処理部１８を変更することなく、第２の通信方式による音声通話の機能を搭載することができる。
さらに、第２の通信方式による音声通話に関する機能部についても、アナログ音声信号への変換機能を有する既存の第２通信ユニット６Ｂを用いることができるため、第２の通信方式専用に別の制御部を備えることなく、容易に実装が可能である。また、両通信方式でレシーバ７及びマイク８が共有されるので、部品点数及び装置の小型化が可能となる。
【００８２】
スマートフォン１は、第２ＲＦ回路部６２Ｂにより第１スイッチ１９を制御するので、第２の通信方式による音声通話の開始又は終了に応じて、適切にモード切り替えを行える。
さらに、スマートフォン１は、コントローラ１０の制御により第２ＲＦ回路部６２Ｂへモードの切り替えを指令するので、第１の通信方式による音声通話の状況、及びユーザ操作等に基づいて、適切にモード切り替えを行える。
【００８３】
スマートフォン１は、ＤＳＰ７０による音質改善処理を行うので、第２ＲＦ回路部６２Ｂの処理負荷を低減しつつ、通話品質を向上できる。
【００８４】
［第２実施形態］
本発明を実施するための第２実施形態を、図面を参照しつつ説明する。
なお、第１実施形態と同様の構成には同一の符号を付し、説明を省略又は簡略化する。
【００８５】
図７は、本実施形態に係るスマートフォン１ａの詳細な機能を示すブロック図である。
スマートフォン１ａは、第１スイッチ１９に加えて、第２制御部及び第２切替部としての第２スイッチ８０を備える。第２通信ユニット６Ｂとコントローラ１０との呼制御用通信は、この第２スイッチ８０を介して行われる。
【００８６】
第２スイッチ８０は、ＤＳＰ７０を制御し、第２ＲＦ回路部６２Ｂからデジタル音声信号を受けると、ＤＳＰ７０により音質改善を行った後、処理後の信号を第２ＲＦ回路部６２Ｂへ供給する。
第２スイッチ８０は、第２通信ユニット６Ｂによる音声通話時であって、かつ、音質改善処理を行うときのみ、ＤＳＰ７０をＯＮにする。それ以外のとき、例えば第１通信ユニット６Ａによる音声通話時、又は第２通信ユニット６Ｂによる音声通話時であるが音質改善処理を行わないとき、第２スイッチ８０は、ＤＳＰ７０をＯＦＦにすることで、ＤＳＰ７０の消費電力を削減できる。
【００８７】
［第３実施形態］
本発明を実施するための第３実施形態を、図面を参照しつつ説明する。
なお、第２実施形態と同様の構成には同一の符号を付し、説明を省略又は簡略化する。
【００８８】
図８は、本実施形態に係るスマートフォン１ｂの詳細な機能を示すブロック図である。
スマートフォン１ｂは、第２実施形態の構成に加えて、短距離無線通信部９０を備える。この短距離無線通信部９０は、第２スイッチ８０により制御され、例えば、Ｂｌｕｅｔｏｏｔｈ（登録商標）によって音声信号の入出力装置としてのヘッドセットと通信を行う。これにより、ハンズフリー通話が可能となる。
【００８９】
ハンズフリー通話を行う際、第２スイッチ８０は、第１通信ユニット６Ａによる音声通信の場合には、第１通信ユニット６Ａと短距離無線通信部９０との間でデジタル音声信号を伝送する。一方、第２通信ユニット６Ｂによる音声通信の場合には、第２スイッチ８０は、第２通信ユニット６Ｂと短距離無線通信部９０との間でデジタル音声信号を伝送する。
このように、第２スイッチ８０が音声信号の伝送経路を切り替えることにより、スマートフォン１ｂは、複数の通信方式の通信ユニットそれぞれを用いてハンズフリー通話を実現できる。
【００９０】
本発明を完全かつ明瞭に開示するために特徴的な実施形態に関し記載してきた。しかし、添付の請求項に係る発明は、上記実施形態に限定されるべきものでなく、本明細書に示した基礎的事項の範囲内で当該技術分野の当業者が創作しうるすべての変形例及び代替可能な構成を具現化するように構成されるべきである。
【００９１】
上記実施形態では、ＤＳＰ７０により音質改善処理が行われたが、第２アンテナ６２Ａから入力される音声信号に対して、第２ＲＦ回路部６２Ｂ自身が音質改善処理を行ってもよい。この構成によれば、第２ＲＦ回路部６２Ｂの処理能力によっては、ＤＳＰ７０が不要となり、部品点数が低減される。
【００９２】
また、上記実施形態では、第２ＲＦ回路部６２Ｂが第１スイッチ１９を制御したが、コントローラ１０が第１スイッチ１９を制御してもよい。
【００９３】
上記実施形態において、コントローラ１０は、第１スイッチ１９により第１モードで音声通話が可能になった場合には音声処理部１８をＯＮにし、一方で、第１スイッチ１９により第２モードで音声通話が可能になった場合には音声処理部１８をＯＦＦにしてもよい。このことにより、スマートフォン１は、音声処理部１８を用いない場合には音声処理部１８をＯＦＦにすることで、消費電力を削減できる。
【００９４】
例えば、図５に示した各プログラムは、複数のモジュールに分割されていてもよいし、他のプログラムと結合されていてもよい。
なお、図５においてストレージ９が記憶することとしたプログラムの一部又は全部は、第１通信ユニット６Ａ又は第２通信ユニット６Ｂによる無線通信で他の装置からダウンロードされてもよい。また、図５においてストレージ９が記憶することとしたプログラムの一部又は全部は、ストレージ９に含まれる読み取り装置が読み取り可能な記憶媒体に記憶されていてもよい。また、図５においてストレージ９が記憶することとしたプログラムの一部又は全部は、外部インタフェース１４に接続される読み取り装置が読み取り可能なＣＤ、ＤＶＤ、又はＢｌｕ−ｒａｙ（登録商標）等の記憶媒体に記憶されていてもよい。
【００９５】
また、上記実施形態では、無線端末装置の一例として、スマートフォンについて説明したが、無線端末装置は、スマートフォンに限定されない。例えば、無線端末装置は、モバイルフォン、携帯型パソコン、デジタルカメラ、メディアプレイヤ、電子書籍リーダ、ナビゲータ又はゲーム機等の携帯電子機器であってもよい。また、無線端末装置は、デスクトップパソコン、テレビ受像器等の据え置き型の電子機器であってもよい。
【符号の説明】
【００９６】
１  スマートフォン（無線端末装置）
６Ａ  第１通信ユニット
６Ｂ  第２通信ユニット
７  レシーバ（音声出力部）
８  マイク（音声入力部）
１０  コントローラ（第１制御部）
１８  音声処理部
１９  第１スイッチ（第１切替部）
６０  アンプ
６１Ａ  第１アンテナ（第１通信部）
６１Ｂ  第１ＲＦ回路部（第１通信処理部）
６２Ａ  第２アンテナ（第２通信部）
６２Ｂ  第２ＲＦ回路部（第２通信処理部）
７０  ＤＳＰ（信号処理部）
８０  第２スイッチ（第２制御部、第２切替部）
【図１】
2014104173.tif 000003
【図２】
2014104173.tif 000004
【図３】
2014104173.tif 000005
【図４】
2014104173.tif 000006
【図５】
2014104173.tif 000007
【図６】
2014104173.tif 000008
【図７】
2014104173.tif 000009
【図８】
2014104173.tif 000010
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
第１の通信システムにより無線通信を行う第１通信部と、
第２の通信システムにより無線通信を行う第２通信部と、
デジタル音声信号をアナログ音声信号に変換する音声処理部と、
アナログ音声信号を出力する音声出力部と、
第１モードと第２モードとを切り替える第１切替部と、を備え、
前記第１通信部は、前記音声処理部へデジタル音声信号を送信し、
前記第１モードにおいて、前記音声出力部は、前記音声処理部からアナログ音声信号を受信し、
前記第２モードにおいて、前記音声出力部は、前記第２通信部からアナログ音声信号を受信する無線端末装置。
【請求項２】
前記第２通信部は、前記第１切替部を、前記第２通信部により音声通信を行う際に前記第２モードへ切り替えさせ、前記第２通信部による音声通信が終了すると、前記第２モードから前記第１モードへ切り替えさせる請求項１に記載の無線端末装置。
【請求項３】
前記第１通信部及び前記第２通信部における音声発着信を制御する第１制御部を備え、
前記第１制御部は、音声発着信の開始又は終了要求に応じて、当該第２通信部に前記第１切替部のモードを切り替えさせる請求項１に記載の無線端末装置。
【請求項４】
前記第１制御部は、前記第２通信部による音声通信の要求があり、かつ、前記第１通信部による音声通信が行われていない場合に、前記第２モードへ切り替えさせる請求項３に記載の無線端末装置。
【請求項５】
前記第１制御部は、前記第２通信部による音声通信の要求があり、かつ、前記第１通信部による音声通信が行われている場合に、当該第１通信部による音声通信を中断し、前記第１モードから前記第２モードへ切り替えさせる請求項３に記載の無線端末装置。
【請求項６】
前記第１制御部は、前記第２通信部による音声通信の要求があると、前記第２モードへ切り替えさせる請求項３に記載の無線端末装置。
【請求項７】
音声信号を入出力する入出力装置との間で無線通信する短距離無線通信部を備え、
前記第１通信部により音声通信を行うとき、前記第１通信部が前記短距離無線通信部へデジタル音声信号を送信し、前記第２通信部により音声通信を行うとき、前記第２通信部が前記短距離無線通信部へデジタル音声信号を送信する請求項１に記載の無線端末装置。
【請求項８】
第１の通信システムにより無線通信を行う第１通信部と、
第２の通信システムにより無線通信を行う第２通信部と、
アナログ音声信号を入力する音声入力部と、
アナログ音声信号をデジタル音声信号に変換する音声処理部と、を備え、
前記第１通信部は、前記音声処理部からデジタル音声信号を受信し、
前記第２通信部は、前記音声入力部からアナログ音声信号を受信する無線端末装置。
【請求項９】
第１の通信システムにより無線通信を行う第１通信部と、
第２の通信システムにより無線通信を行う第２通信部と、
デジタル音声信号をアナログ音声信号に変換する音声処理部と、
アナログ音声信号を出力する音声出力部と、を備え、
前記第１通信部は、前記音声処理部へデジタル音声信号を送信し、
前記第２通信部は、前記音声出力部へアナログ音声信号を送信する無線端末装置。
【手続補正２】
【補正対象書類名】明細書
【補正対象項目名】０００７
【補正方法】変更
【補正の内容】
【０００７】
本発明に係る無線端末装置は、第１の通信システムにより無線通信を行う第１通信部と、第２の通信システムにより無線通信を行う第２通信部と、デジタル音声信号をアナログ音声信号に変換する音声処理部と、アナログ音声信号を出力する音声出力部と、第１モードと第２モードとを切り替える第１切替部と、を備え、前記第１通信部は、前記音声処理部へデジタル音声信号を送信し、前記第１モードにおいて、前記音声出力部は、前記音声処理部からアナログ音声信号を受信し、前記第２モードにおいて、前記音声出力部は、前記第２通信部からアナログ音声信号を受信する。
【手続補正３】
【補正対象書類名】明細書
【補正対象項目名】０００８
【補正方法】変更
【補正の内容】
【０００８】
前記第２通信部は、前記第１切替部を、前記第２通信部により音声通信を行う際に前記第２モードへ切り替えさせ、前記第２通信部による音声通信が終了すると、前記第２モードから前記第１モードへ切り替えさせてもよい。
【手続補正４】
【補正対象書類名】明細書
【補正対象項目名】０００９
【補正方法】変更
【補正の内容】
【０００９】
前記無線端末装置は、前記第１通信部及び前記第２通信部における音声発着信を制御する第１制御部を備え、前記第１制御部は、音声発着信の開始又は終了要求に応じて、当該第２通信部に前記第１切替部のモードを切り替えさせてもよい。
【手続補正５】
【補正対象書類名】明細書
【補正対象項目名】００１０
【補正方法】変更
【補正の内容】
【００１０】
前記第１制御部は、前記第２通信部による音声通信の要求があり、かつ、前記第１通信部による音声通信が行われていない場合に、前記第２モードへ切り替えさせてもよい。
【手続補正６】
【補正対象書類名】明細書
【補正対象項目名】００１１
【補正方法】変更
【補正の内容】
【００１１】
前記第１制御部は、前記第２通信部による音声通信の要求があり、かつ、前記第１通信部による音声通信が行われている場合に、当該第１通信部による音声通信を中断し、前記第１モードから前記第２モードへ切り替えさせてもよい。
【手続補正７】
【補正対象書類名】明細書
【補正対象項目名】００１２
【補正方法】変更
【補正の内容】
【００１２】
前記第１制御部は、前記第２通信部による音声通信の要求があると、前記第２モードへ切り替えさせてもよい。
【手続補正８】
【補正対象書類名】明細書
【補正対象項目名】００１３
【補正方法】変更
【補正の内容】
【００１３】
前記無線端末装置は、音声信号を入出力する入出力装置との間で無線通信する短距離無線通信部を備え、前記第１通信部により音声通信を行うとき、前記第１通信部が前記短距離無線通信部へデジタル音声信号を送信し、前記第２通信部により音声通信を行うとき、前記第２通信部が前記短距離無線通信部へデジタル音声信号を送信してもよい。
【手続補正９】
【補正対象書類名】明細書
【補正対象項目名】００１４
【補正方法】変更
【補正の内容】
【００１４】
本発明に係る無線端末装置は、第１の通信システムにより無線通信を行う第１通信部と、第２の通信システムにより無線通信を行う第２通信部と、アナログ音声信号を入力する音声入力部と、アナログ音声信号をデジタル音声信号に変換する音声処理部と、を備え、前記第１通信部は、前記音声処理部からデジタル音声信号を受信し、前記第２通信部は、前記音声入力部からアナログ音声信号を受信する。
【手続補正１０】
【補正対象書類名】明細書
【補正対象項目名】００１５
【補正方法】変更
【補正の内容】
【００１５】
本発明に係る無線端末装置は、第１の通信システムにより無線通信を行う第１通信部と、第２の通信システムにより無線通信を行う第２通信部と、デジタル音声信号をアナログ音声信号に変換する音声処理部と、アナログ音声信号を出力する音声出力部と、を備え、前記第１通信部は、前記音声処理部へデジタル音声信号を送信し、前記第２通信部は、前記音声出力部へアナログ音声信号を送信する。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００６７
【補正方法】変更
【補正の内容】
【００６７】
第１通信ユニット６Ａは、第１アンテナ６１Ａと、第１ＲＦ回路部６１Ｂとを備える。
第１アンテナ６１Ａは、上述した第１の通信方式により、基地局等の外部機器と無線通信を行う。具体的には、第１アンテナ６１Ａは、基地局等の外部機器と、第１ＲＦ回路部６１Ｂにより変調される高周波信号の送受信を行う。例えば、この高周波信号は、通話に係る音声信号を含む。
【手続補正１４】
【補正対象書類名】明細書
【補正対象項目名】００７０
【補正方法】変更
【補正の内容】
【００７０】
第２通信ユニット６Ｂは、第２アンテナ６２Ａと、第２ＲＦ回路部６２Ｂとを備える。
第２アンテナ６２Ａは、上述した第２の通信方式により、基地局等の外部機器と無線通信を行う。具体的には、第２アンテナ６２Ａは、基地局等の外部機器と、第２ＲＦ回路部６２Ｂにより変調される高周波信号の送受信を行う。例えば、この高周波信号は、通話に係る音声信号を含む。
【手続補正１５】
【補正対象書類名】明細書
【補正対象項目名】００９６
【補正方法】変更
【補正の内容】
【００９６】
１  スマートフォン（無線端末装置）
６Ａ  第１通信ユニット
６Ｂ  第２通信ユニット
７  レシーバ（音声出力部）
８  マイク（音声入力部）
１０  コントローラ（第１制御部）
１８  音声処理部
１９  第１スイッチ（第１切替部）
６０  アンプ
６１Ａ  第１アンテナ
６１Ｂ  第１ＲＦ回路部
６２Ａ  第２アンテナ
６２Ｂ  第２ＲＦ回路部
７０  ＤＳＰ（信号処理部）
８０  第２スイッチ（第２制御部、第２切替部）
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
第１の通信システムにより外部機器と無線通信を行う第１通信ユニットと、
第２の通信システムにより外部機器と無線通信を行う第２通信ユニットと、
デジタル音声信号をアナログ音声信号に変換する音声処理部と、
アナログ音声信号を外部へ出力する音声出力部と、
第１モードと第２モードとを切り替える第１切替部と、を備え、
前記第１通信ユニットと、前記第２通信ユニットと、前記音声出力部とは、それぞれ別個に構成され、
前記第１通信ユニットは、前記音声処理部へデジタル音声信号を送信し、
前記第２通信ユニットは、デジタル音声信号をアナログ音声信号に変換し、当該変換したアナログ音声信号を、前記音声処理部を介さずに前記音声出力部へ送信し、
前記第１モードにおいて、前記音声出力部は、前記音声処理部からアナログ音声信号を受信し、
前記第２モードにおいて、前記音声出力部は、前記第２通信ユニットからアナログ音声信号を受信する無線端末装置。
【請求項２】
第１の通信システムにより無線通信を行う第１通信部と、
第２の通信システムにより無線通信を行う第２通信部と、
デジタル音声信号をアナログ音声信号に変換する音声処理部と、
アナログ音声信号を出力する音声出力部と、
第１モードと第２モードとを切り替える第１切替部と、を備え、
前記第１通信部は、前記音声処理部へデジタル音声信号を送信し、
前記第１モードにおいて、前記音声出力部は、前記音声処理部からアナログ音声信号を受信し、
前記第２モードにおいて、前記音声出力部は、前記第２通信部からアナログ音声信号を受信し、
前記第２通信部は、前記第１切替部を、前記第２通信部により音声通信を行う際に前記第２モードへ切り替えさせ、前記第２通信部による音声通信が終了すると、前記第２モードから前記第１モードへ切り替えさせる無線端末装置。
【請求項３】
第１の通信システムにより無線通信を行う第１通信部と、
第２の通信システムにより無線通信を行う第２通信部と、
デジタル音声信号をアナログ音声信号に変換する音声処理部と、
アナログ音声信号を出力する音声出力部と、
第１モードと第２モードとを切り替える第１切替部と、を備え、
前記第１通信部は、前記音声処理部へデジタル音声信号を送信し、
前記第１モードにおいて、前記音声出力部は、前記音声処理部からアナログ音声信号を受信し、
前記第２モードにおいて、前記音声出力部は、前記第２通信部からアナログ音声信号を受信し、
前記第１通信部及び前記第２通信部における音声発着信を制御する第１制御部を備え、
前記第１制御部は、音声発着信の開始又は終了要求に応じて、当該第２通信部に前記第１切替部のモードを切り替えさせる無線端末装置。
【請求項４】
前記第１制御部は、前記第２通信部による音声通信の要求があり、かつ、前記第１通信部による音声通信が行われていない場合に、前記第２モードへ切り替えさせる請求項３に記載の無線端末装置。
【請求項５】
前記第１制御部は、前記第２通信部による音声通信の要求があり、かつ、前記第１通信部による音声通信が行われている場合に、当該第１通信部による音声通信を中断し、前記第１モードから前記第２モードへ切り替えさせる請求項３に記載の無線端末装置。
【請求項６】
前記第１制御部は、前記第２通信部による音声通信の要求があると、前記第２モードへ切り替えさせる請求項３に記載の無線端末装置。
【請求項７】
音声信号を入出力する入出力装置との間で無線通信する短距離無線通信部を備え、
前記第１通信ユニットにより音声通信を行うとき、前記第１通信ユニットが前記短距離無線通信部へデジタル音声信号を送信し、前記第２通信ユニットにより音声通信を行うとき、前記第２通信ユニットが前記短距離無線通信部へデジタル音声信号を送信する請求項１に記載の無線端末装置。
【請求項８】
第１の通信システムにより外部機器と無線通信を行う第１通信ユニットと、
第２の通信システムにより外部機器と無線通信を行う第２通信ユニットと、
アナログ音声信号を入力する音声入力部と、
アナログ音声信号をデジタル音声信号に変換する音声処理部と、を備え、
前記第１通信ユニットと、前記第２通信ユニットと、前記音声入力部とは、それぞれ別個に構成され、
前記第１通信ユニットは、前記音声処理部からデジタル音声信号を受信し、
前記第２通信ユニットは、前記音声入力部からアナログ音声信号を受信し、当該アナログ音声信号をデジタル音声信号に変換する無線端末装置。
【請求項９】
第１の通信システムにより外部機器と無線通信を行う第１通信ユニットと、
第２の通信システムにより外部機器と無線通信を行う第２通信ユニットと、
デジタル音声信号をアナログ音声信号に変換する音声処理部と、
アナログ音声信号を外部へ出力する音声出力部と、を備え、
前記第１通信ユニットは、前記音声処理部へデジタル音声信号を送信し、
前記第２通信ユニットは、デジタル音声信号をアナログ音声信号に変換し、当該変換したアナログ音声信号を、前記音声処理部を介さずに前記音声出力部へ送信する無線端末装置。
【手続補正２】
【補正対象書類名】明細書
【補正対象項目名】０００７
【補正方法】変更
【補正の内容】
【０００７】
本発明に係る無線端末装置は、第１の通信システムにより外部機器と無線通信を行う第１通信ユニットと、第２の通信システムにより外部機器と無線通信を行う第２通信ユニットと、デジタル音声信号をアナログ音声信号に変換する音声処理部と、アナログ音声信号を外部へ出力する音声出力部と、第１モードと第２モードとを切り替える第１切替部と、を備え、前記第１通信ユニットと、前記第２通信ユニットと、前記音声出力部とは、それぞれ別個に構成され、前記第１通信ユニットは、前記音声処理部へデジタル音声信号を送信し、前記第２通信ユニットは、デジタル音声信号をアナログ音声信号に変換し、当該変換したアナログ音声信号を、前記音声処理部を介さずに前記音声出力部へ送信し、前記第１モードにおいて、前記音声出力部は、前記音声処理部からアナログ音声信号を受信し、前記第２モードにおいて、前記音声出力部は、前記第２通信ユニットからアナログ音声信号を受信する。
【手続補正３】
【補正対象書類名】明細書
【補正対象項目名】０００８
【補正方法】変更
【補正の内容】
【０００８】
本発明に係る無線端末装置は、第１の通信システムにより無線通信を行う第１通信部と、第２の通信システムにより無線通信を行う第２通信部と、デジタル音声信号をアナログ音声信号に変換する音声処理部と、アナログ音声信号を出力する音声出力部と、第１モードと第２モードとを切り替える第１切替部と、を備え、前記第１通信部は、前記音声処理部へデジタル音声信号を送信し、前記第１モードにおいて、前記音声出力部は、前記音声処理部からアナログ音声信号を受信し、前記第２モードにおいて、前記音声出力部は、前記第２通信部からアナログ音声信号を受信し、前記第２通信部は、前記第１切替部を、前記第２通信部により音声通信を行う際に前記第２モードへ切り替えさせ、前記第２通信部による音声通信が終了すると、前記第２モードから前記第１モードへ切り替えさせる。
【手続補正４】
【補正対象書類名】明細書
【補正対象項目名】０００９
【補正方法】変更
【補正の内容】
【０００９】
本発明に係る無線端末装置は、第１の通信システムにより無線通信を行う第１通信部と、第２の通信システムにより無線通信を行う第２通信部と、デジタル音声信号をアナログ音声信号に変換する音声処理部と、アナログ音声信号を出力する音声出力部と、第１モードと第２モードとを切り替える第１切替部と、を備え、前記第１通信部は、前記音声処理部へデジタル音声信号を送信し、前記第１モードにおいて、前記音声出力部は、前記音声処理部からアナログ音声信号を受信し、前記第２モードにおいて、前記音声出力部は、前記第２通信部からアナログ音声信号を受信し、前記第１通信部及び前記第２通信部における音声発着信を制御する第１制御部を備え、前記第１制御部は、音声発着信の開始又は終了要求に応じて、当該第２通信部に前記第１切替部のモードを切り替えさせる。
【手続補正５】
【補正対象書類名】明細書
【補正対象項目名】００１３
【補正方法】変更
【補正の内容】
【００１３】
前記無線端末装置は、音声信号を入出力する入出力装置との間で無線通信する短距離無線通信部を備え、前記第１通信ユニットにより音声通信を行うとき、前記第１通信ユニットが前記短距離無線通信部へデジタル音声信号を送信し、前記第２通信ユニットにより音声通信を行うとき、前記第２通信ユニットが前記短距離無線通信部へデジタル音声信号を送信してもよい。
【手続補正６】
【補正対象書類名】明細書
【補正対象項目名】００１４
【補正方法】変更
【補正の内容】
【００１４】
本発明に係る無線端末装置は、第１の通信システムにより外部機器と無線通信を行う第１通信ユニットと、第２の通信システムにより外部機器と無線通信を行う第２通信ユニットと、アナログ音声信号を入力する音声入力部と、アナログ音声信号をデジタル音声信号に変換する音声処理部と、を備え、前記第１通信ユニットと、前記第２通信ユニットと、前記音声入力部とは、それぞれ別個に構成され、前記第１通信ユニットは、前記音声処理部からデジタル音声信号を受信し、前記第２通信ユニットは、前記音声入力部からアナログ音声信号を受信し、当該アナログ音声信号をデジタル音声信号に変換する。
【手続補正７】
【補正対象書類名】明細書
【補正対象項目名】００１５
【補正方法】変更
【補正の内容】
【００１５】
本発明に係る無線端末装置は、第１の通信システムにより外部機器と無線通信を行う第１通信ユニットと、第２の通信システムにより外部機器と無線通信を行う第２通信ユニットと、デジタル音声信号をアナログ音声信号に変換する音声処理部と、アナログ音声信号を外部へ出力する音声出力部と、を備え、前記第１通信ユニットは、前記音声処理部へデジタル音声信号を送信し、前記第２通信ユニットは、デジタル音声信号をアナログ音声信号に変換し、当該変換したアナログ音声信号を、前記音声処理部を介さずに前記音声出力部へ送信する。
【国際調査報告】
2014104173.tif 000011
2014104173.tif 000012